(57)【要約】【課題】防水パンを用いることなく防水床、壁又は天井を構築することができる、防水性に優れた防水構造を提供する。【解決手段】コンクリート床Ｆ上に架台１が足ボルト２を介して設置されている。架台１上に複数枚の床板３が端面を突き合わせて配設されている。防水シート６同士の継目予定箇所に沿って床板３上に両面粘着テープ４を貼り付け、両面粘着テープ４の上に補強用ネット５を重ね、防水シート６を床板３上に敷設し、それらの辺縁部を補強用ネット５付き両面粘着テープ４の上に重ね、上から押えつける。防水シート６上にセメント板などよりなるタイル張り用下地板７を敷設し、この下地板７上に接着剤によってタイル８を張り付け、目地９を詰める。【選択図】図１
2006200308.tif 000002
【特許請求の範囲】
【請求項１】
床、壁又は天井に設置されたパネルと、該パネルの表面に張設された防水シートとを有する防水構造において、
複数枚の該防水シートがシートの辺縁を突き合わせて該パネル表面に張設されており、
該防水シート同士の突き合わせ部分に沿う辺縁部分の裏面が、該突き合わせ部分を跨ぐ幅員を有した両面粘着テープによって該パネルに付着されていることを特徴とする防水構造。
【請求項２】
請求項１において、複数枚のパネルが、各パネルの端面を突き合わせて設置されており、各パネルの該端面には、互いに係合した実部が設けられていることを特徴とする防水構造。
【請求項３】
パネルの端部が、該パネルと交叉する面に対峙し、該パネルと該面との交叉コーナー部に両面粘着テープが付着され、
該パネルから該面にかけて防水シートが張設されていることを特徴とする防水構造。
【請求項４】
請求項１ないし３のいずれか１項において、該両面粘着テープと該防水シートとの間に補強用ネットが介在されていることを特徴とする防水構造。
【発明の詳細な説明】
【技術分野】
【０００１】
本発明は防水構造に係り、特に床、壁又は天井に設置されたパネルの表面に防水シートが張設されている防水構造に関する。
【背景技術】
【０００２】
ユニットバスルーム等の床や壁、天井は防水性が必要であり、従来は防水パンによって構成されることが多い（例えば特開平１０−４６６４１号公報）。
【０００３】
この防水パンは規格寸法である。規格寸法以外の防止床を構築するために、床板の上に防水シートを敷設し、その上に仕上げ処理を施して防水床を構成することも行われている。
【０００４】
なお、特開平７−７１０９７号の図８，９には、コンクリート床の上に複数枚の防水シートを、防水シートの辺縁同士の間に若干の間隔をあけるようにして両面粘着テープで敷設し、防水シート同士の間にシーリング材を充填した防水床が記載されている。
【特許文献１】特開平１０−４６６４１号公報
【特許文献２】特開平７−７１０９７号公報
【発明の開示】
【発明が解決しようとする課題】
【０００５】
上記特開平７−７１０９７号公報の防水床では、防水シートの辺縁同士の間の防水性が不足する。即ち、同号公報では、防水シートの辺縁同士の間にシーリング材を充填しているが、このシーリング材と防水シートの端面との間を透過し易い。特に、床が熱膨張したときにはシーリング材とシート端面との剥離が生じ、防水性が極端に低下するおそれがある。
【０００６】
本発明は、上記従来の問題点を解決し、防水パンを用いることなく防水床、壁又は天井を構築することができる、防水性に優れた防水構造を提供することを目的とする。
【課題を解決するための手段】
【０００７】
本発明（請求項１）の防水構造は、床、壁又は天井に設置されたパネルと、該パネルの表面に張設された防水シートとを有する防水構造において、複数枚の該防水シートがシートの辺縁を突き合わせて該パネル表面に張設されており、該防水シート同士の突き合わせ部分に沿う辺縁部分の裏面が、該突き合わせ部分を跨ぐ幅員を有した両面粘着テープによって該パネルに付着されていることを特徴とするものである。
【０００８】
請求項２の防水構造は、請求項１において、複数枚のパネルが、各パネルの端面を突き合わせて設置されており、各パネルの該端面には、互いに係合した実部が設けられていることを特徴とするものである。
【０００９】
請求項３の防水構造は、パネルの端部が、該パネルと交叉する面に対峙し、該パネルと該面との交叉コーナー部に両面粘着テープが付着され、該パネルから該面にかけて防水シートが張設されていることを特徴とするものである。
【００１０】
請求項４の防水構造は、請求項１ないし３のいずれか１項において、該両面粘着テープと該防水シートとの間に補強用ネットが介在されていることを特徴とするものである。
【発明の効果】
【００１１】
請求項１の防水構造では、防水シート同士の突き合わせ部分に沿う辺縁の裏面が両面粘着テープによってパネルに付着されており、この両面粘着テープが該突き合わせ部分を跨いで配設されている。このため、防水シートと両面粘着テープとの付着界面の面積が大きく、防水シートの突き合わせ部分の防水性が極めて高い。
【００１２】
請求項２の防水構造では、パネル同士の突き合わせ部分の剪断強度が向上する。
【００１３】
請求項３の防水構造では、パネルと他の面との継目の防水性が向上する。
【００１４】
請求項４の防水構造では、補強用ネットを両面粘着テープと防水シートとの間に介在させてあるので、両面粘着テープに対し防水シート同士を離反させる方向に外力が加えられても、ネットによって対抗され、両面粘着テープの破断、亀裂発生が防止され、防水信頼性が向上する。
【発明を実施するための最良の形態】
【００１５】
以下、図面を参照して実施の形態について説明する。図１（ａ）は実施の形態に係る防水構造としての防水床を示す縦断面図、図１（ｂ）は図１（ａ）のＢ部分の拡大図、図２は図１の防水床にタイル張りを施した状態を示す縦断面図である。
【００１６】
この実施の形態では、防水構造の一例として防水床の構築例を示す。
【００１７】
ユニットバスルーム等の構築予定スペースのコンクリート床Ｆ上に架台１が足ボルト２を介して設置されている。
【００１８】
この架台１は横桟と縦桟を直交状に組み付けた枠形のものである。
【００１９】
この架台１上に複数枚のパネルとしての床板３が端面を突き合わせて配設されている。床板３はテクスビスにより架台１に固定される。床板３の一方の端面には、下縁側から張り出す相决り実部３ａが設けられ、他方の端面には上縁側から張り出す相决り実部３ｂが設けられている。これらの相决り実部３ａ，３ｂが係合されると共に、接着剤（図示略）により接着されている。
【００２０】
この床板３上に防水シート６を敷設するのに先立って、床板３にプライマーを塗布しておく。また、防水シート６同士の継目予定箇所に沿って床板３上に両面粘着テープ４を貼り付けておくと共に、この両面粘着テープ４の上に補強用ネット５を重ねておく。防水シート６を床板３上に敷設し、それらの辺縁部を補強用ネット５付き両面粘着テープ４の上に重ね、上から押えつける。防水シート６，６の継目にコーキング１２を施してシールする。これにより、ネット５が両面粘着テープ４及び防水シート６の界面に押し込まれると共に、ネット５の網目開口を通して防水シート６が両面粘着テープ４に付着する。図１（ｂ）の通り、防水シート６，６の辺縁同士は突き合わされる。防水シート６は、ローラー等を用いて圧着し、気泡が残らないようにする。
【００２１】
なお、図４のようにコーナー部についても、両面粘着テープ４及び補強用ネット５を床板３から壁１３に跨がって設けておき、防水シート６を壁１３にまで延在させて被装する。
【００２２】
その後、図２のように、防水シート６上にセメント板などよりなるタイル張り用下地板７を敷設し、この下地板７上に接着剤によってタイル８を張り付け、目地９を詰める。これにより、タイル張り防水床が構築される。
【００２３】
この防水床にあっては、隣接する防水シート６，６の辺縁部が両面粘着テープ４上に重なって粘着しているので、両面粘着テープ４の幅をある程度大きくとることにより、防水シート６，６の突き合わせ部分の防水性を十分に高いものとすることができる。
【００２４】
また、この実施の形態では、両面粘着テープ４の上面に補強用ネット５が食い込むように配設されるため、両面粘着テープ４の引張強度、引張弾性率がいずれも高いものとなる。この結果、両面粘着テープ４に対し、防水シート６，６同士を離反させる方向に外力が加えられても、この外力が補強用ネット５によって対抗され、両面粘着テープ４に破断や亀裂が生じることがなく、防水信頼性、耐久性が極めて良好なものとなる。
【００２５】
次に、上記各部材の好適な材料等について説明するが、本発明はこれに限定されるものではない。
【００２６】
上記床板３としては、発泡合成樹脂ボードや、セメント系ボード、合板などが好適である。
【００２７】
両面粘着テープ４としては、ガラス繊維や有機繊維等の不織布にブチルゴム等の粘着性ゴムや粘着性アスファルト等を含浸させたものが好適である。両面粘着テープ４の厚さは０．５〜２ｍｍ程度が好適であり、幅は１０〜１０００ｍｍ特に１００〜３５０ｍｍ程度が好適である。
【００２８】
補強用ネット５としては、ガラス繊維、高弾性率有機繊維等のネットが好適である。このネット５の目開きは２〜１０ｍｍ程度が好適である。目開きが２ｍｍよりも小さいと、両面粘着テープ４と防水シート６との付着力が低下することがあり、１０ｍｍ超であると、ネット５による両面粘着テープ４の補強効果が弱くなるおそれがある。
【００２９】
防水シート６としては、厚さが１〜３ｍｍ程度のＥＶＡシート等の合成樹脂シートや、ゴムシートが好適である。
【００３０】
なお、この実施の形態では、床板３同士を実結合しているため、床板３同士の結合強度が高い。図１，２では相决り実部により床板３，３同士が結合されているが、相决り実矧ぎや、図３に示す雄実部３Ａと雌実部３Ｂ（印籠决り）などによって結合されてもよい。
【００３１】
なお、上記の実施の形態はの防水床の構築例を示すものであるが、本発明は、防水床や防水天井を構築する場合にも適用可能である。例えば、この実施の形態を天地逆にし、床板３を天井板に置き換えることにより、防水性及び天井板同士の結合張度が高い防水天井を構築することが可能である。
【図面の簡単な説明】
【００３２】
【図１】図１（ａ）は実施の形態に係る防水床を示す縦断面図、図１（ｂ）は図１（ａ）のＢ部分の拡大図である。
【図２】図１の防水床にタイル張りを施した状態を示す縦断面図である。
【図３】床板の別の結合例を示す断面図である。
【図４】床板と壁とのコーナー部付近の断面図である。
【符号の説明】
【００３３】
１  架台
３  床板
４  両面粘着テープ
５  補強用ネット
６  防水シート
７  タイル張り用下地板
８  タイル
【図１】
2006200308.tif 000003
【図２】
2006200308.tif 000004
【図３】
2006200308.tif 000005
【図４】
2006200308.tif 000006